【手続補正書】
【提出日】平成26年6月19日(2014.6.19)
【手続補正１】
【補正対象書類名】明細書
【補正対象項目名】発明の名称
【補正方法】変更
【補正の内容】
【発明の名称】操作装置と、この操作装置を適用したデジタルカメラ及びこのデジタルカメラの制御方法
【手続補正２】
【補正対象書類名】明細書
【補正対象項目名】０００１
【補正方法】変更
【補正の内容】
【０００１】
本発明は、操作部材を手動で操作する操作者にクリック感を付与することができる操作装置と、この操作装置を適用したデジタルカメラ及びこのデジタルカメラの制御方法に関する。
【手続補正３】
【補正対象書類名】明細書
【補正対象項目名】０００７
【補正方法】変更
【補正の内容】
【０００７】
本発明は、上記実情に鑑み、小型で、かつ、設定されているモードに応じたクリック感を操作者に付与することができる操作性の良い操作装置と、この操作装置を適用したデジタルカメラ及びこのデジタルカメラの制御方法を提供することを目的とする。
【手続補正４】
【補正対象書類名】明細書
【補正対象項目名】０００８
【補正方法】変更
【補正の内容】
【０００８】
本発明の第１の態様に係る操作装置は、固定部材と、上記固定部材に対して手動で回転可能に配置される操作部材と、上記固定部材に配置されていて上記操作部材が回転する際に当該操作部材に所定の負荷を与える負荷手段と、上記負荷手段に対して押圧された状態で摩擦接触する振動子と、上記固定部材または上記負荷手段に対する上記操作部材の相対位置を検出する位置検出手段と、動作モードを設定する動作モード設定手段と、上記振動子によって上記負荷手段に付与される振動を制御することにより、上記操作部材を回転操作した際に当該操作部材から得る操作感を変更する操作感制御手段と、を具備し、上記操作感制御手段は、上記位置検出手段からの出力に基づいて、上記設定されている動作モードに応じたクリック感を上記操作部材に発生させる。
【手続補正５】
【補正対象書類名】明細書
【補正対象項目名】０００９
【補正方法】変更
【補正の内容】
【０００９】
本発明の第２の態様に係る操作装置は、上記第１の態様において、上記負荷手段は、上記操作部材の回転に連動して回転する第１の回転部材と、上記第１の回転部材と回転可能に連結しているとともに上記振動子側へ押圧された状態で当該振動子と摩擦接触している第２の回転部材と、を含み、
上記第２の回転部材は、上記操作部材を介して上記第１の回転部材が回転力を付与された際、当該振動子からの振動によって当該第１の回転部材からの回転駆動力が制御される。
【手続補正６】
【補正対象書類名】明細書
【補正対象項目名】００１０
【補正方法】変更
【補正の内容】
【００１０】
本発明の第３の態様に係る操作装置は、上記第２の態様において、上記操作部材は自己の回転軸に沿って第１の位置または第２の位置へスライド移動可能に配置され、
上記第１の回転部材は当該操作部材が当該第１の位置へスライド移動した際には上記第２の回転部材へ駆動力を伝達可能な位置に移動し、当該操作部材が当該第２の位置へスライド移動した際には上記第２の回転部材へ駆動力を伝達不可能な位置に移動する。
【手続補正７】
【補正対象書類名】明細書
【補正対象項目名】００１１
【補正方法】変更
【補正の内容】
【００１１】
本発明の第４の態様に係る操作装置は、上記第３の態様において、上記操作部材が上記第１の位置または上記第２の位置へスライド移動を開始したことを検出するスライド開始検出手段を更に有し、  上記操作感制御手段は、上記スライド開始検出手段によって当該操作リングがスライドを開始したことが検出された際に、上記振動子を非駆動状態にして上記第２の回転部材を固定保持する。
【手続補正８】
【補正対象書類名】明細書
【補正対象項目名】００１２
【補正方法】変更
【補正の内容】
【００１２】
本発明の第５の態様に係る操作装置は、上記第１の態様において、さらに、モード及びその設定項目と、その設定項目に対応してクリック感を感じさせるための周期を記憶する記憶手段を有し、上記操作感制御手段は、上記動作モードが設定された際、上記記憶手段から上記設定されたモード及びその設定項目と、その設定項目に対応する周期を読み出してその内容に基づいて上記振動子を制御し、上記負荷手段に付与する振動を変更する。
【手続補正９】
【補正対象書類名】明細書
【補正対象項目名】００１３
【補正方法】変更
【補正の内容】
【００１３】
本発明の第６の態様に係る操作装置は、上記第１の態様において、上記操作感制御手段は、上記振動子を制御する圧電体制御手段を含み、当該圧電体制御手段は、上記振動子と上記負荷手段とが押圧圧接する方向の振動振幅を変更することによってクリック力量を制御する。
【手続補正１０】
【補正対象書類名】明細書
【補正対象項目名】００１４
【補正方法】変更
【補正の内容】
【００１４】
本発明の第７の態様に係る操作装置は、上記第１の態様において、上記操作感制御手段は、上記振動子を駆動するための駆動電圧である周波電圧の供給と停止を繰り返すことによってクリック感を付与する。
【手続補正１１】
【補正対象書類名】明細書
【補正対象項目名】００１５
【補正方法】変更
【補正の内容】
【００１５】
本発明の第８の態様に係る操作装置は、上記第１の態様において、上記操作感制御手段は、上記操作部材が第１の回転位置から基準位置へ手動で右回転される場合には、上記第１の回転位置での当該操作部材にかかる第１の接触摩擦力を所定時間徐々に増加させてから第２の接触摩擦力にし、当該第２の接触摩擦力から所定時間徐々に減少させて第１の接触摩擦力になるように制御し、上記操作部材が第２の回転位置から基準位置へ手動で左回転される場合には、上記第２の回転位置での当該操作部材にかかる第１の接触摩擦力を所定時間徐々に増加させてから第２の接触摩擦力にし、当該第２の接触摩擦力から所定時間徐々に減少させて第１の接触摩擦力になるように制御することによって、当該操作部材が右回転の場合であっても左回転の場合であっても、クリック感を付与した後は、操作者が当該操作部材を同じ上記基準位置で切り換えられるようにした。
【手続補正１２】
【補正対象書類名】明細書
【補正対象項目名】００１６
【補正方法】変更
【補正の内容】
【００１６】
本発明の第９の態様に係る操作装置は、上記第１の態様において、上記操作感制御手段は、上記操作部材が手動操作されていないときには上記振動子を非駆動状態にして当該操作部材を摩擦接触力により固定保持し、上記位置検出手段によって上記操作部材の回転操作が開始されたことを検出したときには当該操作部材の摩擦接触力を軽減すると共に上記設定されたモードに応じたクリック感を付与するように上記振動子を駆動制御する。
本発明の一態様のデジタルカメラは、固定部材と、表面に複数の凹部を有し、上記固定部材に対して回転可能な回転リングと、上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え可能な切替手段と、上記切替手段によって上記規制状態とされた場合に上記回転リングの上記凹部と係合している状態で上記回転リングの回転を規制する規制部材と、を具備し、上記規制状態には、絞りの出力値が離散的となる機能が割り当てられ、かつ、上記非規制状態には、フォーカスの出力値が連続的となる機能が割り当てられ、さらに、上記回転リングの回転操作により、上記切替手段によって選択された状態に割り当てられた機能に対応した出力が出される。
本発明の一態様のデジタルカメラの制御方法は、表面に複数の凹部を有する回転リングを固定部材に対して回転させ、切替手段により、上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え、規制部材は、上記切替手段によって上記規制状態とされた場合に上記回転リングの上記凹部と係合している状態で上記回転リングの回転を規制し、上記規制状態には、絞りの出力値が離散的となる機能が割り当てられ、かつ、上記非規制状態には、フォーカスの出力値が連続的となる機能が割り当てられ、さらに、上記回転リングの回転操作により、上記切替手段によって選択された状態に割り当てられた機能に対応した出力が出される。
本発明の他の一態様のデジタルカメラは、固定部材と、表面に複数の凹部を有し、上記固定部材に対して回転可能な回転リングと、上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え可能な切替手段と、上記切替手段によって上記規制状態とされた場合に上記回転リングの上記凹部と係合している状態で上記回転リングが回転する際の回転抵抗力を制御する回転抵抗力制御手段と、を具備し、上記回転抵抗力制御手段は、上記固定部材に対して上記回転リングを手動回転させた際、当該回転リングにクリック感を発生させる。
【手続補正１３】
【補正対象書類名】明細書
【補正対象項目名】００１７
【補正方法】変更
【補正の内容】
【００１７】
本発明によれば、小型で、かつ、設定されているモードに応じたクリック感を操作者に付与することができる操作性の良い操作装置と、この操作装置を適用したデジタルカメラ及びこのデジタルカメラの制御方法を提供することができる。
【手続補正１４】
【補正対象書類名】特許請求の範囲
【補正対象項目名】全文
【補正方法】変更
【補正の内容】
【特許請求の範囲】
【請求項１】
固定部材と、
上記固定部材に対して手動で回転可能に配置される操作部材と、
上記固定部材に配置されていて上記操作部材が回転する際に当該操作部材に所定の負荷を与える負荷手段と、
上記負荷手段に対して押圧された状態で摩擦接触する振動子と、
上記固定部材または上記負荷手段に対する上記操作部材の相対位置を検出する位置検出手段と、
動作モードを設定する動作モード設定手段と、
上記振動子によって上記負荷手段に付与される振動を制御することにより、上記操作部材を回転操作した際に当該操作部材から得る操作感を変更する操作感制御手段と、
を具備し、
上記操作感制御手段は、上記位置検出手段からの出力に基づいて、上記設定されている動作モードに応じたクリック感を上記操作部材に発生させることを特徴とする操作装置。
【請求項２】
上記負荷手段は、上記操作部材の回転に連動して回転する第１の回転部材と、上記第１の回転部材と回転可能に連結しているとともに上記振動子側へ押圧された状態で当該振動子と摩擦接触している第２の回転部材と、を含み、
上記第２の回転部材は、上記操作部材を介して上記第１の回転部材が回転力を付与された際、当該振動子からの振動によって当該第１の回転部材からの回転駆動力が制御されることを特徴とする請求項１記載の操作装置。
【請求項３】
上記操作部材は自己の回転軸に沿って第１の位置または第２の位置へスライド移動可能に配置され、
上記第１の回転部材は当該操作部材が当該第１の位置へスライド移動した際には上記第２の回転部材へ駆動力を伝達可能な位置に移動し、当該操作部材が当該第２の位置へスライド移動した際には上記第２の回転部材へ駆動力を伝達不可能な位置に移動することを特徴とする請求項２記載の操作装置。
【請求項４】
上記操作部材が上記第１の位置または上記第２の位置へスライド移動を開始したことを検出するスライド開始検出手段を更に有し、
上記操作感制御手段は、上記スライド開始検出手段によって当該操作リングがスライドを開始したことが検出された際に、上記振動子を非駆動状態にして上記第２の回転部材を固定保持することを特徴とする請求項３記載の操作装置。
【請求項５】
さらに、モード及びその設定項目と、その設定項目に対応してクリック感を感じさせるための周期を記憶する記憶手段を有し、
上記操作感制御手段は、上記動作モードが設定された際、上記記憶手段から上記設定されたモード及びその設定項目と、その設定項目に対応する周期を読み出してその内容に基づいて上記振動子を制御し、上記負荷手段に付与する振動を変更することを特徴とする請求項１記載の操作装置。
【請求項６】
上記操作感制御手段は、上記振動子を制御する圧電体制御手段を含み、当該圧電体制御手段は、上記振動子と上記負荷手段とが押圧圧接する方向の振動振幅を変更することによってクリック力量を制御することを特徴とする請求項１記載の操作装置。
【請求項７】
上記操作感制御手段は、上記振動子を駆動するための駆動電圧である周波電圧の供給と停止を繰り返すことによってクリック感を付与することを特徴とする請求項１記載の操作装置。
【請求項８】
上記操作感制御手段は、上記操作部材が第１の回転位置から基準位置へ手動で右回転される場合には、上記第１の回転位置での当該操作部材にかかる第１の接触摩擦力を所定時間徐々に増加させてから第２の接触摩擦力にし、当該第２の接触摩擦力から所定時間徐々に減少させて第１の接触摩擦力になるように制御し、
上記操作部材が第２の回転位置から基準位置へ手動で左回転される場合には、上記第２の回転位置での当該操作部材にかかる第１の接触摩擦力を所定時間徐々に増加させてから第２の接触摩擦力にし、当該第２の接触摩擦力から所定時間徐々に減少させて第１の接触摩擦力になるように制御することによって、当該操作部材が右回転の場合であっても左回転の場合であっても、クリック感を付与した後は、操作者が当該操作部材を同じ上記基準位置で切り換えられるようにしたことを特徴とする請求項１記載の操作装置。
【請求項９】
上記操作感制御手段は、上記操作部材が手動操作されていないときには上記振動子を非駆動状態にして当該操作部材を摩擦接触力により固定保持し、上記位置検出手段によって上記操作部材の回転操作が開始されたことを検出したときには当該操作部材の摩擦接触力を軽減すると共に上記設定されたモードに応じたクリック感を付与するように上記振動子を駆動制御することを特徴とする請求項１記載の操作装置。
【請求項１０】
固定部材と、
表面に複数の凹部を有し、上記固定部材に対して回転可能な回転リングと、
上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え可能な切替手段と、
上記切替手段によって上記規制状態とされた場合に上記回転リングの上記凹部と係合している状態で上記回転リングの回転を規制する規制部材と、
を具備し、
上記規制状態には、絞りの出力値が離散的となる機能が割り当てられ、かつ、上記非規制状態には、フォーカスの出力値が連続的となる機能が割り当てられ、さらに、上記回転リングの回転操作により、上記切替手段によって選択された状態に割り当てられた機能に対応した出力が出されることを特徴とするデジタルカメラ。
【請求項１１】
上記固定部材は、上記切替手段と係合する係合部を有し、
上記切替手段は、上記回転リングが光軸方向において第１の位置と第２の位置とのいずれかにスライド移動した際に、上記係合部と係合して上記二つの状態のいずれかに切り替えることを特徴とする請求項１０に記載のデジタルカメラ。
【請求項１２】
シャッターの半押しを検出すると、上記回転リングに割り当てられる機能をフォーカスとして制御し、かつ上記規制部材の規制を外すことを特徴とする請求項１１に記載のデジタルカメラ。
【請求項１３】
表面に複数の凹部を有する回転リングを固定部材に対して回転させ、
切替手段により、上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え、
規制部材は、上記切替手段によって上記規制状態とされた場合に上記回転リングの上記凹部と係合している状態で上記回転リングの回転を規制し、
上記規制状態には、絞りの出力値が離散的となる機能が割り当てられ、かつ、上記非規制状態には、フォーカスの出力値が連続的となる機能が割り当てられ、さらに、上記回転リングの回転操作により、上記切替手段によって選択された状態に割り当てられた機能に対応した出力が出されることを特徴とするデジタルカメラの制御方法。
【請求項１４】
固定部材と、
表面に複数の凹部を有し、上記固定部材に対して回転可能な回転リングと、
上記回転リングの回転規制の有る規制状態と上記回転リングの回転規制の無い非規制状態との二つの状態を、少なくとも上記回転リングに撮影モードで割り当てられる二つの機能の切り替えと同時で、かつ、上記二つの機能以外の機能と無関係に切り替え可能な切替手段と、
上記切替手段によって上記規制状態とされた場合に上記回転リングの上記凹部と係合している状態で上記回転リングが回転する際の回転抵抗力を制御する回転抵抗力制御手段と、
を具備し、
上記回転抵抗力制御手段は、上記固定部材に対して上記回転リングを手動回転させた際、当該回転リングにクリック感を発生させることを特徴とするデジタルカメラ。
【請求項１５】
上記固定部材に対する上記回転リングの回転位置を検出する位置検出手段を、さらに含み、
上記回転抵抗力制御手段は、上記位置検出手段からの出力に基づいてクリック感を上記回転リングに発生させることを特徴とする請求項１４に記載のデジタルカメラ。
【請求項１６】
上記回転抵抗力制御手段は、
上記固定部材に配置されていて上記回転リングが回転する際に当該回転リングに所定の負荷を与える負荷手段と、
上記負荷手段に対して押圧された状態で摩擦接触する振動子と、
をさらに含むことを特徴とする請求項１５に記載のデジタルカメラ。